(57)【特許請求の範囲】
【請求項１】
洋式便座（１１）の蓋板（１２）を形取って重ね合わせた表地（１３）と裏地（１４）の二枚の生地の重なり合う周縁の中の蓋板ピン接合部（１５）に該当する一部の周縁（１７・１８）を除く三方の周縁部分（１６）を縫合して袋状に縫製されており、その未縫合の重なり合う一部の未縫合周縁（１７・１８）が蓋板（１２）への嵌込口（１９）を構成しており、表地（１３）または裏地（１４）の内面に液状に調製して塗着され、または、シート状に調製して取り付けられた防滑性樹脂（２２）を具備することを特徴とする便座蓋カバー。
【請求項２】
前掲請求項１に記載の便座蓋カバー（３０）において、裏地（１４）に、差込口が蓋板（１２）への嵌込口（１９）と逆向きのポケット（３１）が設けられていることを特徴とする前掲請求項１に記載の便座蓋カバー。
【請求項３】
洋式便座（１１）の蓋板（１２）を形取って重ね合わせた表地（１３）と裏地（１４）の二枚の生地の重なり合う周縁の中の蓋板ピン接合部（１５）に該当する一部の周縁（１７・１８）を除く三方の周縁部分（１６）を縫合して袋状に縫製されており、その未縫合の重なり合う一部の未縫合周縁（１７・１８）が蓋板（１２）への嵌込口（１９）を構成しており、嵌込口（１９）に平行に続く方向に向けて連続する伸縮性を有する弾性体（２３）が表地（１３）と裏地（１４）の間の嵌込口（１９）から奥まった袋状内部（３６）に介在し、その弾性体（２３）の両端が嵌込口（１９）から奥まった袋状内部の周縁（１６）に接合されており、その弾性体（２３）の収縮している状態における両端間の長さが、その一端の生地（１３・１４）との接合点（２４）から他端の生地（１３・１４）との接合点（２５）に至る表地（１３）または裏地（１４）の寸法よりも短いことを特徴とする便座蓋カバー。
【請求項４】
前掲請求項３に記載の便座蓋カバー（３０）において、裏地（１４）に、差込口が蓋板（１２）への嵌込口（１９）と逆向きのポケット（３１）が設けられていることを特徴とする前掲請求項３に記載の便座蓋カバー。
【請求項５】
洋式便座（１１）の蓋板（１２）を形取って重ね合わせた表地（１３）と裏地（１４）の二枚の生地の重なり合う周縁の中の蓋板ピン接合部（１５）に該当する一部の周縁（１７・１８）を除く三方の周縁部分（１６）を縫合して袋状に縫製されており、その未縫合の重なり合う一部の未縫合周縁（１７・１８）が蓋板（１２）への嵌込口（１９）を構成しており、嵌込口（１９）に平行に続く方向において左右対称となる表地（１３）と裏地（１４）の間の袋状内部（３６）の二箇所に、それぞれ表地（１３）の内面（２６）と裏地（１４）の内面（２７）を連結する伸縮性を有する弾性体（２８・２９）が取り付けられていることを特徴とする便座蓋カバー。
【請求項６】
前掲請求項５に記載の便座蓋カバー（３０）において、裏地（１４）に、差込口が蓋板（１２）への嵌込口（１９）と逆向きのポケット（３１）が設けられていることを特徴とする前掲請求項５に記載の便座蓋カバー。
【発明の詳細な説明】
【０００１】
【発明の属する技術分野】
本発明は、洋式便座の蓋カバーに関するものである。
【０００２】
【従来の技術】
従来の蓋カバーは、折返代分だけ蓋板よりも広めに裁断した生地の周縁を折り返して構成され、その折返代を引っ掛けて蓋板の周縁に取り付ける構造になっている。図７は、その代表的蓋カバー３４を示し、生地の全周が折り返され、その折返代３２の周縁に折襞を形成しつつ弾性紐３３を取り付けられており、ナイトキャップのように弾性紐３３と共に周縁を拡張して蓋板１２に被せるようになっている。
【０００３】
【発明が解決しようとする課題】
この蓋カバー３４では、裏面が折返代３２に囲まれた開口部３５となるので、蓋板１２の裏面は蓋カバー３４に被覆されず剥き出しになる。しかし、蓋板の裏面が表に現われるのは便座１１の使用時であり、その使用時に蓋板１２が剥き出しになるのでは、装飾のために蓋カバー３４を蓋板１２に装着する意味がなく、この点で従来の蓋カバー３４は十分な装飾機能を発揮していない。
【０００４】
又、生地の周縁を折り返し、その折返代３２を一定の間隔で襞寄せしつつ弾性紐３３を取り付けて綺麗に縫製するには、相当の手間と熟練を要し、その縫製作業が蓋カバー３４をコトス高にしている。
【０００５】
そして、蓋板には、周縁の一部が真っ直ぐになっており、その直線部分に蝶番１５を取り付けた概してΩ形をなすものもあり、そのような蓋板では図５に示す蓋カバー３４をナイトキャップ状に被せることは出来ず、その蝶番１５の取り付けられている直線部分に該当する生地の一部を切り欠き、その蓋板の直線部分に生地の折返代が引っ掛からないようにすると共に、その蓋板の直線部分に密着させるために蓋カバーに閉じ紐を取り付ける等の細工も必要となる。そのように蓋板には形状の異なる種々のものがあり、その蓋板の形状に応じた種々のタイプの蓋カバーが必要になる。
【０００６】
【発明の目的】
そこで本発明は、蓋カバーが蓋板の表裏を被覆して装飾機能を十分に発揮するようにすると共に、形状の異なる何れのタイプの蓋板にも簡便かつ確実に装着することが出来る蓋カバーを効率的かつ経済的に提供することを目的とする。
【０００７】
【課題を解決するための手段】
本発明に係る蓋カバー３０は、洋式便座１１の蓋板１２を形取って重ね合わせた表地１３と裏地１４の二枚の生地の重なり合う周縁の中の蓋板ピン接合部１５に該当する一部の周縁１７・１８を除く三方の周縁部分１６を縫合して袋状に縫製されており、その未縫合の重なり合う一部の未縫合周縁１７・１８が蓋板１２への嵌込口１９を構成していることを第１の特徴とする。
【０００８】
本発明に係る蓋カバー３０の第２の特徴は、上記第１の特徴に加えて、表地１３または裏地１４の内面に液状に調製して塗着され、または、シート状に調製して取り付けられた防滑性樹脂２２を具備する点にある。
【０００９】
本発明に係る蓋カバー３０の第３の特徴は、上記第１の特徴に加えて、嵌込口１９に平行に続く方向に向けて連続する伸縮性を有する弾性体２３が表地１３と裏地１４の間の嵌込口１９から奥まった袋状内部３６に介在し、その弾性体２３の両端が嵌込口１９から奥まった袋状内部の周縁１６に接合されており、その弾性体２３の収縮している状態における両端間の長さが、その一端の生地１３・１４との接合点２４から他端の生地１３・１４との接合点２５に至る表地１３または裏地１４の寸法よりも短くなっている点にある。
【００１０】
本発明に係る蓋カバー３０の第４の特徴は、上記第１の特徴に加えて、嵌込口１９に平行に続く方向において左右対称となる表地１３と裏地１４の間の袋状内部３６の二箇所に、それぞれ表地１３の内面２６と裏地１４の内面２７を連結する伸縮性を有する弾性体２８・２９が取り付けられている点にある。
【００１１】
蓋カバー３０の表地１３と裏地１４の間の袋状内部３６には、機能性薬剤を係止することが出来る。
【００１２】
本発明に係る蓋カバー３０の第５の特徴は、上記第２、第３および第４の何れかの特徴に加えて、差込口が蓋板１２への嵌込口１９と逆向きのポケット３１が裏地１４に設けられている点にある。
【００１３】
蓋カバー３０の縫合する三方の周縁部分１６は、テープ２０で包むとよく、そのテープ２０は、三方の周縁部分１６に縫合される。
【００１４】
蓋カバー３０の嵌込口１９を構成する表地１３の一部の周縁１７と裏地１４の一部の周縁１８には、それぞれ対応する閉止部材２１を取り付けることも出来る。
【００１５】
【発明の実施の形態】
表地１３と裏地１４には、織物、編物、不織布、フェルト、パイル布帛、人工皮革、合成皮革、天然皮革が使用される。蓋カバー３０の三方の周縁部分１６を被覆するテープ２０は、表地１３と裏地１４のそれぞれの周縁を被覆するように縫い付けておき、嵌込口１９の周縁１７・１８もテープ２０で被覆し、表地１３や裏地１４の裁断口が露出しないようにする。
【００１６】
表地や裏地１３・１４の内面に付与する防滑性樹脂２２は、蓋板１２に装着した蓋カバー３０のズレ防止のためのものであり、それには天然ゴムや合成ゴム、ウレタン樹脂、エチレン・酢酸ビニル樹脂、エチレン・酢酸ビニル・スチレン樹脂等の摩擦係数が大きくタック性を帯びた樹脂が使用される。防滑性樹脂２２は、それを液状に調製して表地や裏地１３・１４に塗着してもよいし、それをシート状に調製して取り付けてもよい。その場合、好ましくは蓋カバー３０の袋状内部３６において左右向き合う周縁部分に付与する。そうすると、蓋板１２に強制的に嵌め合わせたとき、その周縁部分１６に付与された防滑性樹脂２２に蓋板１２からの反力が集中作用し、蓋カバー３０が蓋板１２に確り固定されることになる。
【００１７】
袋状内部３６に嵌込口１９に平行に取り付ける弾性体２３は、袋状内部３６において弾性体２３と表地１３または裏地１４に囲まれる隙間に蓋板１２を差し込み、そのとき引き伸ばされて生じる弾性体２３の収縮応力によって蓋カバー３０を蓋板１２に密着固定させるものである。従って、蓋板１２を差し込む前の弾性体２３の収縮状態における長さを、その生地１３・１４との接合点２４から接合点２５までの表地１３または裏地１４の寸法よりも短くし、差し込んだ蓋板１２に拡張されて収縮応力が生じるようにする。
【００１８】
袋状内部３６に左右対称に取り付けられる弾性体２８・２９も、蓋カバー３０を蓋板１２に固定するものであり、嵌め合わせた蓋板１２によって弾性体２８・２９の間が左右に押し広げられ、そのとき弾性体２８・２９に生じる収縮応力によって蓋カバー３０が蓋板１２に密着固定される。従って、収縮状態にある左右の弾性体２８・２９と上下の表地１３と裏地１４に囲まれる内法（周囲）の長さが、その密着箇所における蓋板１２の断面の周囲の長さや、その密着箇所における蓋カバー３０の断面の周囲の長さよりも短くなるように、弾性体２８・２９の長さを設定する。
【００１９】
防滑性樹脂２２や弾性体２３・２８・２９は、それが嵌込口１９に食み出て蓋カバー３０の体裁を損なわない程度に、嵌込口１９から奥まった袋状内部３６に設ける。ところで、蓋板１２を開閉するとき、嵌込口１９が下向きになることはあっても上向きになることはなく、蓋カバー３０に蓋板１２が遊嵌していて蓋カバー３０がズレ易い状態に装着されていても、開閉使用中に蓋カバー３０が蓋板１２から外れることはない。従って、防滑性樹脂２２や弾性体２３・２８・２９は、ズレを防止する程度に蓋カバー３０を蓋板１２に固定するものであればよく、それによって蓋カバー３０を格別強固に蓋板１２に固定されるようにする必要は必ずしもない。同様に、嵌込口１９に、取り付けられる閉止部材２１も、嵌込口１９において表地（１７）と裏地（１８）を閉じ合わせたいとの要望に応えるためのものであり、それにはホック２１や紐が用いられるが、弾性体２８・２９を嵌込口１９の周縁１７・１８に極接近させて取り付けるときは、閉止部材２１を取り付ける必要はない。
【００２０】
機能性薬剤としては、消臭剤、抗菌剤、殺虫剤、殺菌剤、防黴剤、芳香剤等が適用される。顆粒状の機能性薬剤では通気性を有する小袋に装填し、液状または液状に調製可能な機能性薬剤では不織布、紙、プラスチック等に担持させて使用する。不織布や紙の如く板状やシート状に調製し得る機能性薬剤では、その含有する不織布や紙を表地の内面２６や裏地の内面２７に仮接着し、或いは、弾性体２３・２８・２９に引っ掛けて袋状内部３６に取り付ける。
【００２１】
裏地１４にポケット３１が設けられている蓋カバー３０では、そのポケット３１に機能性薬剤を装填してもよい。そのポケット３１の差込口は、開いて立ち上げた蓋板１２の横向きに設けてもよい。そのように差込口を横向きに設けても、嵌込口１９に逆向きに設けても、蓋板１２を開閉するときポケット３１の差込口が下向きになることはないので、そのポケット３１に納められた機能性薬剤その他の小物が差込口から抜け出ることはない。図５に図示する蓋カバー３０では、ポケット３１を裏地１４の内面に設けているが、装飾性を有するポケット３１では裏地１４の外面に設けることも出来る。
【００２２】
【発明の効果】
本発明（請求項１・３・５）に係る蓋カバーは、表地と裏地によって袋状に構成されているので、蓋板の表裏を被覆して装飾し、随時蓋板から取り外して洗濯することが出来、その使用中に嵌込口が上向きになることはないので、蓋板から外れることはなく、その縫製過程で生地の周縁を折り返したり襞を立てる手間が省かれ、ただ、生地を蓋板に合わせて裁断し、それを二枚重ね合わせて周縁を縫合するだけでよく、効率的かつ経済的に得ることが出来る。
【００２３】
本発明（請求項１・３・５）に係る蓋カバーでは、その嵌込口に蓋板を差し込むだけで蓋板に密着固定することができ、その蓋板への装着・取外しに手間取らず、扱い易く実用的である。
【００２４】
本発明（請求項１・３・５）に係る蓋カバーは、それが袋状に構成されいるので、その内部に機能性薬剤を納めることが出来、その納めた機能性薬剤が外部から目に触れることがなく、トイレ内の美観を損なわず、その機能性薬剤が便座を使用する際に邪魔にならず、トイレ内を広く使えるので実用的である。
【００２５】
本発明（請求項２・４・６）に係る蓋カバーでは、ポケット３１が取り付けられているので、そこに機能性薬剤その他の小物を収納することが出来てトイレ内を広く使えることができ、それが裏地に設けられているので押し潰されることはない
【００２６】
本発明に係る蓋カバーは、その縫合される生地１３・１４の周縁をテープで包み、生地１３・１４の裁断口を露出させず綺麗に縫製することが出来る。
【００２７】
本発明に係る蓋カバーでは、嵌込口１９に閉止部材２１を取り付け、嵌込口１９で表地（１７）と裏地（１８）を閉じ合わせたいとの要望に応えることが出来る。
【図面の簡単な説明】
【図１】本発明に係る蓋カバーの蓋板への装着手順を示す斜視図である。
【図２】本発明に係る蓋カバーの斜視図である。
【図３】本発明に係る蓋カバーの嵌込口の斜視図である。
【図４】本発明に係る蓋カバーの蓋板に装着された状態での断面図である。
【図５】本発明に係る蓋カバーの裏返した状態での斜視図である。
【図６】本発明に係る蓋カバーの周縁部分の断面図である。
【図７】従来の蓋カバーの斜視図である。
【符号の説明】
１１  便座
１２  蓋板
１３  表地
１４  裏地
１５  ピン接合部
１６  周縁
１７・１８  未縫合周縁
１９  嵌込口
２０  テープ
２１  閉止部材（ホック）
２２  防滑性樹脂
２３  弾性体
２４・２５  接合点
２６  表地の内面
２７  裏地の内面
２８・２９  弾性体
３０  蓋カバー
３１  ポケット
３２  折返代
３３  弾性紐
３４  従来の蓋カバー
３５  開口部
３６  袋状内部
【図１】
0003543134.tif 000002
【図２】
0003543134.tif 000003
【図３】
0003543134.tif 000004
【図４】
0003543134.tif 000005
【図５】
0003543134.tif 000006
【図６】
0003543134.tif 000007
【図７】
0003543134.tif 000008